(57)【要約】【課題】  車両が進入して停車する車両洗浄位置の目印の表示が水流であり、車両が車両洗浄位置に停止せずに、その前端が車両洗浄位置を通り過ぎて、目印としての水流が車両に当たっても、その車両を痛めない。【解決手段】  車両が進入して停車する車両洗浄位置Ｖ２の目印を表示する洗車機において、その目印は車両洗浄位置Ｖ２内に位置した車両Ｖの前端よりも前方を流れる水流１５ａ，１５ｂ，１６ａ，１６ｂであり、その水流は、車体前端が車両洗浄位置Ｖ２を通り過ぎた車両Ｖにより遮られるようにされており、受付装置３３で洗車を受け付けてから水流１５ａ，１５ｂ，１６ａ，１６ｂの流れを開始させ、スピーカーにより報知を開始させる。【選択図】    図２
2007091166.tif 000002
【特許請求の範囲】
【請求項１】
車両入口から進入して車両洗浄位置に停車した車両を、洗車機本体に設けた洗浄手段で洗浄するようにし、前記車両洗浄位置の目印を表示する目印表示手段を備えた洗車機において、
前記目印表示手段は、車両洗浄位置内に停止した車両の前端よりも前方を流れる水流であり、前記水流は、前端が車両洗浄位置を通り過ぎた車両により遮られる場所に位置しており、
前記水流付近まで車両を前進させることを該車両の運転者に報知する報知手段と、
車両入口の手前位置に設けた洗車を受け付ける受付装置と、
前記受付装置で洗車を受け付けたときに、前記水流の形成を開始させ、前記報知手段により前記報知を開始させるように制御する制御手段とを有することを特徴とする、洗車機。
【請求項２】
前記車両洗浄位置に車両が位置したことを検出する車両検出手段を備え、その車両検出手段が車両洗浄位置に車両が位置したことを検出したときに、前記水流の態様を変えるようにし、
前記受付装置で洗車を受付けたことに基づいて、前記水流の態様が変化するまで車両を前進させることを車両の運転者に報知する報知手段を有することを特徴とする、前記請求項１記載の洗車機。
【請求項３】
前記車両に洗浄水を噴射する洗浄水噴射装置を備え、前記洗浄水噴射装置が洗浄水の噴射を開始した後に、前記水流が停止することを特徴とする、前記請求項１または２記載の洗車機。
【発明の詳細な説明】
【技術分野】
【０００１】
本発明は、車両入口から進入して車両洗浄位置に停車した車両を、洗車機本体に設けた洗浄手段で洗浄するようにし、前記車両洗浄位置の目印を表示する目印表示手段を備えた洗車機に関する。
【背景技術】
【０００２】
従来、洗浄手段を備えた洗車機本体に対して洗浄すべき車両を移動させるようにした洗車機において、車両を洗浄するために、該車両を停車させる車両洗浄位置が決められており、その車両洗浄位置を、車両の運転者が容易に知ることができるように、車両洗浄位置を表示する目印としての目印板〔ストップ案内板（後記特許文献１参照）、遮断体（後記特許文献２参照）〕を洗車機本体に進退可能に設け、車両を車両洗浄位置に進入、停車させるときは、車両の前端が車両洗浄位置を通り過ぎたときに、その車両が接触する場所に前記目印板を位置させ、すなわち車両の進路を遮る場所に位置させ、また洗車を実行するときは、車両と接触しない場所に前記目印板を位置させ、すなわち車両の進路を遮らない場所に位置させるようにした洗車機は知られている（後記特許文献１，２参照）。
【特許文献１】特開２００３−１６００３１号公報
【特許文献２】特開平７−２５７３２９号公報
【発明の開示】
【発明が解決しようとする課題】
【０００３】
しかしながら、上記のように、目印板を、車両洗浄位置を表示する目印にすると、車両が車両洗浄位置に正しく停止せずに該車両の前端が車両洗浄位置を通り過ぎたときは目印板が車両に接触して、車両を痛めることがあるという第一の問題があった。
【０００４】
また、一般に、車両に乗車している運転者が、車両を運転して車両洗浄位置に進入させるようにした洗車機においては、車両の進路を遮っていた目印板が、洗車を実行するときに進路を遮らなくなると、洗車機で洗車することに不慣れな運転者が「車両を前進させる」と錯覚して（通常、一般の交通機関では、遮断機が開くと、車両の前進を許可することを表すので、洗車機で洗車することに不慣れな運転者は、目印板が進路を遮らなくなった真意が判らずに、「車両を前進させる」と錯覚する恐れがある）、車両を前進させてしまい、正常に洗車を行なえなくなるという第二の問題があった。
【０００５】
本発明は、上述のような事情に鑑みてなされたもので、上記第一の問題を解決した新規な洗車機を提供することを第一の目的とし、また、上記第一および第二の問題を解消した洗車機を提供することを第二の目的とする。
【課題を解決するための手段】
【０００６】
請求項１の本発明は、車両入口から進入して車両洗浄位置に停車した車両を、洗車機本体に設けた洗浄手段で洗浄するようにし、前記車両洗浄位置の目印を表示する目印表示手段とを備えた洗車機において、
前記目印表示手段は、車両洗浄位置内に停止した車両の前端よりも前方を流れる水流であり、前記水流は、前端が車両洗浄位置を通り過ぎた車両により遮られる場所に位置しており、前記水流付近まで車両を前進させることを該車両の運転者に報知する報知手段と、車両入口の手前位置に設けた洗車を受け付ける受付装置と、前記受付装置で洗車を受け付けたときに、前記水流の形成を開始させ、前記報知手段により前記報知を開始させるように制御する制御手段とを有することを特徴としている。
【０００７】
また、請求項２の本発明は、前記請求項１のものにおいて、前記車両洗浄位置に車両が位置したことを検出する車両検出手段を備え、その車両検出手段が車両洗浄位置に車両が位置したことを検出したときに、前記水流の態様を変えるようにし、前記受付装置で洗車を受付けたことに基づいて、前記水流の態様が変化するまで車両を前進させることを車両の運転者に報知する報知手段を有することを特徴としている。
【０００８】
さらに、請求項３の本発明は、前記請求項１または２のものにおいて、前記車両に洗浄水を噴射する洗浄水噴射装置を備え、前記洗浄水噴射装置が洗浄水の噴射を開始した後に、前記水流が停止することを特徴としている。
【発明の効果】
【０００９】
上記請求項各項の発明によれば、目印表示手段を、車両洗浄位置内に停止した車両の前端よりも前方を流れる水流により形成したので、車両が車両洗浄位置に停止せずに、該車両の前端が車両洗浄位置を通り過ぎて、目印表示手段としての水流が車両に当たっても、車両を痛めることがない。
【００１０】
また、請求項２の本発明によれば、車両検出手段が車両洗浄位置に車両が位置したことを検出したときに、前記水流の態様を変えるようにしたので、車両が該車両を停止させる位置まで前進したことを、確実に報知することができる。
【００１１】
さらに、請求項３の本発明によれば、車両を洗浄する洗浄水の噴射を開始させた後に目印表示手段である水流を停止させるので、目印表示手段が車両の進路を遮らなくなったことを運転者が「車両を前進させる」と錯覚して車両を前進させ正常に洗車を行なえなくなることがない。
【００１２】
以下、本発明の実施の形態を、添付図面に示した本発明の実施例に基づいて具体的に説明する。
【００１３】
図中、図１〜５は、本発明による洗車機の一実施例を示すものであり、図１は、本発明洗車機の全体平面図、図２は、図１の２線矢視図、図３は、図１の３−３線に沿う拡大断面図、図４は、水の供給系を示す図、図５は、洗車機の洗車行程を示すフローチャートである。
【００１４】
図１〜３において、洗車機の洗車機本体１は、洗浄しようとする車両Ｖを跨ぎ得る門型の走行フレーム２を備えている。その門型走行フレーム２の下端部にはそれぞれ左右一対の前車輪３，３と後車輪４，４とが設けられており、門型走行フレーム２は、それらの車輪３，３；４，４を介して洗車機設置面に敷設された左右一対の走行レール５，５上に支持されている。前車輪３，３は走行用モータ６，６により駆動され、それによって、門型走行フレーム２が走行レール５，５に沿い前後方向（図１，２で右左方向）に往復走行するようにされている。
【００１５】
洗車機設置面には、一方の走行レール５の後端部近傍に、スタート位置カム７が設置されている。そして、門型走行フレーム２の下端部には、その門型走行フレーム２がスタート位置（待機位置）にあるときスタート位置カム７に係合する位置に、スタート位置検出スイッチ８が設けられている。
【００１６】
門型走行フレーム２には、車両Ｖの上面を洗浄するトップブラシ９、車両Ｖの前後面および側面を洗浄する左右一対のサイドブラシ１０，１０、車両Ｖの上面を乾燥させるトップノズル１１と、車両Ｖの側面を乾燥させる左右一対のサイドノズル１２，１２、洗浄水噴射管１３および濯ぎ水噴射管１４が設けられている。
【００１７】
また、図１〜３に明瞭に示すように、洗浄水噴射管１３よりも前部の門型フレーム２には、一対の第１のノズル１５Ａ，１５Ｂと、一対の第２のノズル１６Ａ，１６Ｂが、一列に横列して設けられている。第１のノズル１５Ａ，１５Ｂは、第２のノズル１６Ａ，１６Ｂよりも内側にあって下向きの噴口を備え、それらの噴口から噴出される水流１５ａ，１５ｂは、互いに平行状であり、下に向かって漸次広がるように形成され、また、第２のノズル１６Ａ，１６Ｂは、第１のノズル１５Ａ，１５Ｂよりも外側にあって斜め下向きの噴口を備え、それらの噴口から噴出される水流１６ａ，１６ｂはＸ状であり、下に向かって漸次広がるように形成される。
【００１８】
また、前記第１のノズル１５Ａ，１５Ｂおよび第２のノズル１６Ａ，１６Ｂよりも前部の門型フレーム２には、投光器１７ａと受光器１７ｂとからなる光電センサ１７が設けられている。この光電センサ１７は、車両Ｖの前面を検出するようになっており、１７ｃ（一点鎖線）は、該光電センサー１７の光軸を表している。
【００１９】
図１に示すように、門型フレーム２の前部には、報知手段としてのスピーカー１８と、洗車機を制御する制御装置１９とが設けられている。制御装置１９にはタイマーＴが備えられる。
【００２０】
さらに、門型フレーム２の後部には、投光器２０ａと受光器２０ｂとからなる光電センサー２０が設けられている。この光電センサー２０は、車両Ｖの後端を検出するようになっており、２０ｃ（一点鎖線）は、該光電センサー２０の光軸を表している。
【００２１】
図４に示すように、洗浄水噴射管１３には複数の洗浄水噴射ノズル２１が設けられ、また濯ぎ水噴射管１４には複数の濯ぎ水噴射ノズル２２が設けられている。洗浄水噴射管１３は、電磁弁２３を介して給水管２４に接続され、また濯ぎ水噴射管１４は電磁弁２７を介して給水管２４に接続され、給水管２４は、水槽２５内に浸漬される給水ポンプ２６に接続されている。また、前記一対の第１のノズル１５Ａ，１５Ｂは、電磁弁２８を介して給水管２４に接続され、前記一対の第２のノズル１６Ａ，１６Ｂは、電磁弁２９を介して給水管２４に接続されている。
【００２２】
したがって、給水ポンプ２６を駆動して、電磁弁２３を開弁すれば、複数の洗浄水噴射ノズル２１から洗浄水を噴射することができ、また電磁弁２７を開弁すれば、複数の濯ぎ水噴射ノズル１４から濯ぎ水を噴射することができ、また電磁弁２８を開弁すれば、一対の第１のノズル１５Ａ，１５Ｂから互いに略平行な２条の水を噴射することができ、これにより、後述の平行状の水流１５ａ，１５ｂが形成される。また電磁弁２９を開弁すれば、一対の第２のノズル１６Ａ，１６Ｂから互いにＸ状に交叉する２条の水を噴射することができ、これによりＸ状の水流１６ａ，１６ｂが形成される。
【００２３】
図１，２に示すように、走行レール５，５の前後方向中間部には、それらの走行レール５，５間に、車両洗浄位置Ｖ２が設けられ、この車両洗浄位置Ｖ２の、出口寄りに右側には、ストッパー３０と光電センサー３１とが互いに近づけて設けられている。光電センサー３１は、投光器３１ａと受光器３１ｂとからなり、３１ｃ（一点鎖線）は、その光軸を表している。光電センサー３１は、車両洗浄位置Ｖ２に停車した車両Ｖの右前輪を検出することで、車両Ｖが車両洗浄位置Ｖ２に正しく停止したことを検出できるようになっている。車両洗浄位置Ｖ２の前方には車両入口ＩＮが設けられ、この車両入口ＩＮの前方には、遮断機３２が設置され、さらにその遮断機３２の前方には、受付装置３３が設置されている。受付装置３３には、報知手段としてのスピーカー３５、料金受入装置３６、スタートキー３７が設けられており、さらに車両Ｖに設けられるフェンダーポール、キャリヤなどの車体より突出する付属機器の回避動作を行なう回避キー（図示せず）が設けられている。また、走行レール５，５の後端の後方（図１，２左方）には、案内表示器３４が設置されている。
【００２４】
つぎに、上述の構成を備えた本発明による洗車機の一実施例の作用を説明する。
【００２５】
洗車を行うときには、洗車機本体１を、図１，２に実線で示す待機位置、すなわち走行レール５，５の後端のスタート位置に位置させておく。
【００２６】
トップブラシ９およびトップノズル１１は上限位置にあり、また一対のサイドブラシ１０，１０は開限位置にあり、第１のノズル１５Ａ，１５Ｂおよび第２のノズル１６Ａ，１６Ｂからの水の噴射は止まっており、また遮断機３２は閉じている状態になっているとする。
【００２７】
以下、図１〜４に、図５のフローチャートを併せ参照して、車両Ｖの洗車行程について説明する。
【００２８】
制御装置１９はステップＳ１において、洗車受付が終了したかを判断する。このステップＳ１において、洗車しようとする車両Ｖの運転者は、図１に示す受付装置３３の横の受付位置Ｖ１に車両Ｖを停止させて、料金受入装置３６に所定の洗車料金を投入し、つぎに、車両Ｖにフェンダーポール、キャリヤなどの突出する付属機器が装着されているときは、該当する回避キーを押し、つぎにスタートキー３７を押す。スタートキー３７が押されると、洗車の受付が終了し、ステップＳ２へ進む。
【００２９】
ステップＳ２において、制御装置１９は給水ポンプ２６を駆動制御し、また電磁弁２８を開弁制御する。これにより、一対の第１のノズル１５Ａ，１５Ｂから下向きに水が噴射され、洗車機本体１の前部に、平行状の水流１５ａ，１５ｂが形成される（図３参照）。また制御装置１９は、遮断機３２を開かせ、さらにスピーカー３５により「車を水流付近まで、ゆっくりと前進させて下さい。」をアナウンス（以下、このアナウンスを、番号１という）させてステップＳ３へ進む。この番号１のアナウンスにより、車両Ｖを平行状の水流１５ａ，１５ｂ付近まで前進させることを運転者に知らせることができる。
【００３０】
ステップＳ３において、制御装置１９は、光電センサー３１が車両Ｖの右前車輪を検出しているかを判断する。光電センサー３１がその右前車輪を検出していないときは、ステップＳ４へ進む。
【００３１】
ステップ４において、制御装置１９は、報知手段としてのスピーカー１８により「水流がＸ状になるまで、ゆっくりと前進させてください。」をアナウンス（以下、このアナウンスを、番号２という）させてステップＳ３へ戻る。そして、ステップＳ３で光電センサー３１が車両Ｖの右前車輪を検出するまで、ステップＳ３、ステップＳ４を繰り返し、スピーカー１８により番号２を繰り返しアナウンスさせる。この番号２のアナウンスにより、水流が平行状の水流１５ａ，１５ｂからＸ状の水流１６ａ，１６ｂに変わるまで、すなわち、水流の態様が変わるまで車両Ｖを前進させることを運転者に知らせることができる。
【００３２】
車両Ｖが受付位置Ｖ１から前進して車両洗浄位置Ｖ２に達し、前述のように、光電センサー３１が車両Ｖの右前車輪を検出すると、ステップＳ３からステップＳ５へ進む。
【００３３】
ステップＳ５において、制御装置１９は、スピーカー１８により「車を停止させて下さい」をアナウンス（以下、このアナウンスを、番号３という）させる。また制御装置１９は、電磁弁２８を閉弁させて平行状の水流１５ａ，１５ｂを停止させると共に電磁弁２９を開弁させる。これにより、一対の第２のノズル１６Ａ，１６Ｂから水が噴射され、洗車機本体１の前部にＸ状の水流１６ａ，１６ｂが形成される。また、制御装置１９は、タイマーＴを始動させる。
【００３４】
そして、ステップＳ６へ進む。これにより、運転者は番号３のアナウンスと、水流が平行状の水流１５ａ，１５ｂからＸ状の水流１６ａ，１６ｂに変わる、すなわち水流の態様が顕著に変わることで、車両Ｖを停止させることを速やかに知ることができ、車両洗浄位置Ｖ２に車両Ｖを確実に停止させることができる。
【００３５】
ステップＳ６において、制御装置１９は、タイマーＴが所定時間ｔ１経過（たとえば、５秒）したことを検知したかを判断する。タイマーＴが所定時間ｔ１経過を検出していないときは、ステップＳ７へ進む。
【００３６】
ステップＳ７において、制御装置１９は、光電センサー３１が車両Ｖの右前車輪を検出しているかを判断する。光電センサー３１が車両Ｖの右前車輪を検出しているときは、ステップＳ６に戻る。そして、ステップＳ６，７を繰り返す。
【００３７】
ステップＳ５でタイマーＴを始動させてから、光電センサー３１が車両Ｖの右前車輪を検出している状態が所定時間ｔ１経過して、タイマーＴが所定時間ｔ１経過を検出すると、すなわち車両Ｖが車両洗浄位置Ｖ２に正しく停止すると、ステップ６からステップＳ８へ進む。
【００３８】
ステップＳ８において、制御装置１９は、遮断機３２を閉じさせる。また、制御装置１９は、洗車を開始させる。洗車の開始により、電磁弁２３，２７が開弁され、洗浄水噴射管１３および濯ぎ水噴射管１４から洗浄水および濯ぎ水が噴射される。そして、洗車機本体１を前進させて洗浄水、濯ぎ水の噴射と、トップブラシ９およびサイドブラシ１０，１０の回転とで車両Ｖの車体表面を洗浄し、洗浄後の濡れた車体表面をトップノズル１１およびサイドノズル１２，１２から噴射する空気によって乾燥して洗車を終了する。
【００３９】
なお、運転者は洗車が行なわれている間、車両Ｖに乗車したままである。
【００４０】
洗車機本体１が前進終了位置１Ａ（図１、２点鎖線位置）になり、光電センサー２０が遮光から透過になると、すなわち光電センサー２０が車両Ｖの後端を検出すると、制御装置１９は、洗車機本体１の前進の停止と、洗浄水噴射管１３からの洗浄水の噴射の停止と、濯ぎ水噴射管１４からの濯ぎ水の噴射の停止と、トップノズル１２、サイドノズル１３，１３からの空気の噴射の停止と、第２のノズル１６Ａ，１６Ｂからの水の噴射の停止とを行なう。そして、案内表示器３４に「洗車終了」、「前進」を表示させる。
【００４１】
案内表示器３４に「洗車終了」、「前進」が表示されると、車両Ｖに乗車している運転手は、車両洗浄位置Ｖ２の出口方向（図１，２、車両洗浄位置Ｖ２から左方向）へ車両Ｖを前進させて車両洗浄位置Ｖ２から退出する。
【００４２】
制御装置１９は、案内表示器３４に「洗車終了」、「前進」を表示させてから、所定時間ｔ２が経過すると、洗車機本体１を後進（図１，２、左進）させてスタート位置に復帰させる。
【００４３】
ステップＳ６でタイマーＴが所定時間ｔ１経過を検出する前に、光電センサー３１が車両Ｖの右前車輪を検出しなくなると、すなわち、車両Ｖが車両洗浄位置Ｖ２に正しく停止せずに前進し過ぎると、ステップＳ７からステップＳ９へ進む。
【００４４】
ステップＳ９において、制御装置１９は、スピーカー１８により「ゆっくり前進して下さい」をアナウンス（以下、このアナウンスを番号４という）させる。また、タイマーＴを初期化する。そして、ステップＳ１０へ進む。
【００４５】
ステップＳ１０において、光電センサー１７が車両Ｖを検出しているかを判断する。光電センサー１７が車両Ｖを検出していなければ、ステップＳ９へ戻る。そして、光電センサー１７が車両Ｖを検出するまで、ステップＳ９，Ｓ１０を繰り返し、スピーカー１８により番号４を繰り返しアナウンスさせる。
【００４６】
車両Ｖが光電センサー１７の位置まで前進して、光電センサー１７が車両Ｖを検出すると、ステップＳ１０からステップＳ１１へ進む。
【００４７】
ステップＳ１１において、制御装置１９は、スピーカー１８により「ゆっくり後進して下さい」をアナウンス（以下、このアナウンスを番号５という）させる。そして、ステップＳ１２へ進む。
【００４８】
ステップＳ１２において、制御装置１９は、光電センサー１７が車両Ｖを検出しているかを判断する。光電センサー１７が車両Ｖを検出していれば、ステップＳ１１へ戻る。光電センサー１７が車両Ｖを検出していなければ、ステップＳ１３へ進む。そして、ステップＳ１３において、光電センサー３１が車両Ｖの右前車輪を検出しているかを判断する。光電センサー３１が車両Ｖの右前車輪を検出していないときは、ステップＳ１１へ戻る。これにより、車両Ｖが車両洗浄位置Ｖ２まで後進して光電センサー１７が車両Ｖを検出せず、光電センサー３１が車両Ｖの右前車輪を検出するまで、ステップＳ１１，Ｓ１２，Ｓ１３を繰り返し、スピーカー１８により番号５を繰り返しアナウンスさせる。
【００４９】
車両Ｖが車両洗浄位置Ｖ２まで後進して、光電センサー１３が車両Ｖの右前車輪を検出すると、ステップＳ１３からステップＳ１４へ進む。
【００５０】
ステップＳ１４において、制御装置１９は、スピーカー１８により番号３の「車両を停止させて下さい」をアナウンスさせる。また、制御装置１９は、タイマーＴを始動させる。そしてステップＳ６へ戻る。タイマーＴが所定時間ｔ１経過を検出すると、すなわち、車両Ｖが車両洗浄位置Ｖ２に正しく停止すると、ステップＳ６からステップＳ８へ進み、ステップＳ８における前述の洗車が開始される。
【００５１】
しかして、前記洗車行程におけるステップＳ５において、運転者が車両Ｖを正規の洗浄位置に停止させるときに、速やかに停止させずに、車両Ｖを目印表示装置としてのＸ状の水流１６ａ，１６ｂを超える位置まで前進させてしまい、その水流１６ａ，１６ｂが車両Ｖに当たってしまっても、この水流１６ａ，１６ｂの水圧（洗車のときに用いる洗浄水の水圧と変わることがない）によって、車両Ｖを痛めることがない。
【００５２】
また、上記ステップＳ５において、運転者が車両Ｖを停止させるときに、車両Ｖの右前輪が光電センサー３１を通過し、その通過したときから光電センサー１７が車両Ｖを検出するまで、すなわち、ステップＳ７で光電センサー３１が車両Ｖの右前輪を検出しなくなったときからステップＳ１０で光電センサー１７が車両Ｖを検出するまでの時間が短時間のときは、番号４を報知しないように制御装置１９は制御するようになっている。
【００５３】
また、ステップＳ１１において、スピーカー１８により「ゆっくり後進して下さい」をアナウンスしたとき、運転者が速やかに車両Ｖの前進を停止させて後進させず、車両ＶがＸ状の水流１６ａ，１６ｂまで前進して、その水流１６ａ，１６ｂが車両Ｖに当たっても車両Ｖを痛めることがない。
【００５４】
また、ステップＳ８において、洗浄水噴射管１３から洗浄水を噴射してからＸ状の水流１６ａ、１６ｂを停止させるので、従来の洗車機が有していた問題、すなわち、目印表示手段が車両Ｖの進路を遮らなくなったことを、車両Ｖに乗車している運転者が「車両を前進させる」と錯覚して車両Ｖを前進させてしまい、清浄の洗車が行なえなくなるという問題を解決できる。
【００５５】
つぎに、前記実施例の変型例について説明する。
【００５６】
〔変型例１〕
前記実施例では、上記ステップＳ８において、Ｘ状の水流１６ａ，１６ｂを、光電センサー２０が車両Ｖの後端を検出した後に停止しているが、本発明は、洗浄水噴射管１３から洗浄水を噴射してから光電センサー２０が車両Ｖの後端を検出するまでの間でＸ状の水流１６ａ，１６ｂを停止させるようにしてもよい。
【００５７】
〔変型例２〕
前記実施例では、前記Ｘ状の水流１６ａ，１６ｂ付近まで車両Ｖを前進させることを該車両Ｖの運転者に報知する報知手段としてスピーカー３５を用いているが、本発明は報知手段としてＬＥＤなどの発行素子を複数配置した文字表示装置を用いてもよい。たとえば、図６，７に示すように、洗車機本体５１の前面に文字表示装置５１を設け、その発光素子を発光させて、「車を水流付近まで、ゆっくりと前進させて下さい」を文字表示装置５１に表示することで車両Ｖの運転者に報知する。また、該報知手段としてスピーカー３５と文字表示装置５１とを併用してもよい。
【００５８】
〔変型例３〕
前記実施例では、ステップＳ５で平行状の水流１５ａ，１５ａをＸ状の水流１６ａ，１６ｂに変えているが、本発明は、Ｘ状の水流１６ａ，１６ｂを、傾斜状の水流にしてもよい。たとえば、図３において、一対の第２のノズル１６Ａ，１６Ｂの何れか一方から水を噴射して水流１６ａ（あるいは１６ｂ）のみ、すなわち傾斜状の水流を形成してもよい。この場合、前記実施例における番号２のアナウンスに代えて「水流が斜めになるまで、ゆっくりと前進させて下さい。」をアナウンスする。
【００５９】
〔変型例４〕
前記実施例では、水流の態様が変化するまで車両Ｖを前進させることを車両Ｖの運転者に報知する報知手段としてスピーカー１８を用いているが、本発明は、該報知手段として前記文字表示手段５１（図６，７参照）を用いることができる。すなわち、「水流がＸ状になるまで、ゆっくりと前進させていください。」を、また、変型例３のＸ状の水流１６ａ，１６ｂに代えて前記斜め水流１６ａ（または１６ｂ）を用いる場合は、「水流が斜めになるまで、ゆっくりと前進させて下さい。」を文字表示装置５１に表示することで車両Ｖの運転者に報知する。また、該報知手段としてスピーカー１８と文字表示装置５１とを併用してもよい。
【００６０】
〔変型例５〕
前記実施例では、ステップＳ５で水流を平行状の水流１５ａ，１５ｂａからＸ状の水流１６ａ，１６ｂに変えているが、請求項１の発明は、ステップＳ５で平行状の水流１５ａ，１５ｂａの形成を継続し、またＸ状の水流１６ａ，１６ｂを形成しないよいうにして、前記Ｘ状の水流１６ａ，１６ｂを停止するタイミングで平行状の水流１５ａ，１５ｂａを停止するようにしてもよい。この場合、番号２のアナウンスに代えて、スピーカー１８により「車を停止させて下さいのアナウンスがあるまで、ゆっくり前進させて下さい」をアナウンスさせる。また、文字表示装置５１に「水流がＸ状になるまで、ゆっくりと前進させて下さい。」を表示するのに代えて「車を停止させて下さいのアナウンスがあるまで、ゆっくり前進させて下さい。」を表示する。
【００６１】
〔変型例６〕
前記実施例では、ステップＳ５でＸ状の水流１６ａ，１６ｂを形成しているが、請求項１および２の発明は、Ｘ状の水流１６ａ，１６ｂを形成しないようにしてもよい。すなわち、ステップＳ５で平行状の水流１５ａ，１５ｂを停止した後は、目印表示手段としての水流は形成されない。この場合は、番号２のアナウンスに代えて、スピーカー１８によりを「水流が停止するまで、ゆっくりと前進させて下さい。」をアナウンスさせる。また、文字表示装置５１に「水流がＸ状になるまで、ゆっくりと前進させて下さい。」を表示するのに代えて「水流が停止するまで、ゆっくりと前進させて下さい。」を表示する。この場合、車両Ｖの前輪から車両Ｖの前面までの距離が長い車両Ｖのときに、車両Ｖが勢いよく前進して平行状の水流１５ａ，１５ｂの停止が間に合わず、この平行状の水流１５ａ，１５ｂが車両Ｖに当てっても、車両Ｖを痛めることがない。
【００６２】
〔変型例７〕
前記実施例では、車両洗浄位置Ｖ２に車両Ｖが位置したことを検出する車両検出手段として、車両Ｖの右前輪を検出する光電センサー３１を用いているが、本発明は、図８，９に示すように、洗車機本体１に設けた投光器６１ａと受光器６１ｂとからなる光電センサー６１で車体前面を検出するようにした洗車機に実施することができる。
【００６３】
なお、図８，９において、一点鎖線６１ｃは光電センサー６１の光軸を表している。また、ストッパー３０を設けない。この場合、図８，９に示すように、光電センサー６１が車両Ｖを検出していて光電センサー１７が車両Ｖを検出していない状態で停止した車両Ｖが、「車両洗浄位置Ｖ２に正しく停止した車両」である。また、車両Ｖが受付位置Ｖ１から前進して車両洗浄位置Ｖ２に達し、光電センサー６１が車両Ｖを検出すると、平行状の水流１５ａ，１５ｂをＸ状の水流１６ａ，１６ｂに変える（上記変型例３の斜め水流１６ａまたは１６ｂの場合は、斜め水流に変える。また変型例６のステップＳ５で平行状の水流１５ａ，１５ｂを停止した後は、目印表示装置としての水流を形成しない場合は、その平行状の水流１５ａ，１５ｂを停止する。）と共にスピーカー１８により「車を停止させて下さい」をアナウンスさせる。
【００６４】
以上、本発明の一実施例および変型例１〜７について説明したが、本発明はその実施例および変型例に限定されることなく、本発明の範囲内で種々の実施例が可能である。
【００６５】
たとえば、前記一実施例および変型例１〜７では、車両Ｖに乗車する運転者が、受付位置Ｖ１から車両洗浄位置Ｖ２に進入し、洗車後、そこから退出するまで該車両Ｖを運転するようにした洗車機について説明したが、本発明は、車両Ｖに乗車する運転者が、車両Ｖを受付位置Ｖ１から車両洗浄位置Ｖ２で停車するまで運転し、その停車位置から該車両Ｖをコンベアなどの移送手段で移送して洗車を行なうようにした洗車機にも実施することができる。
【図面の簡単な説明】
【００６６】
【図１】洗車機の全体平面図
【図２】図１の２線矢視図
【図３】図１の３−３線に沿う拡大断面図
【図４】水の供給系を示す図
【図５】洗車機の洗車行程を示すフローチャート
【図６】本発明による洗車機の変型例２を示す全体平面図
【図７】図６の７矢視図
【図８】本発明による洗車機の変型例７を示す全体平面図
【図９】図８の９矢視図
【符号の説明】
【００６７】
ＩＮ・・・・・・・車両入口
Ｖ・・・・・・・・車両
Ｖ２・・・・・・・車両洗浄位置
１・・・・・・・・洗車機本体
９〜１４・・・・・洗浄手段
１３・・・・・・・洗浄水噴射装置
１５ａ，１５ｂ・・水流
１６ａ，１６ｂ・・水流
１８，３５，５１・報知手段
１９・・・・・・・制御手段
３１，６１・・・・車両検出手段
３３・・・・・・・受付手段
【図１】
2007091166.tif 000003
【図２】
2007091166.tif 000004
【図３】
2007091166.tif 000005
【図４】
2007091166.tif 000006
【図５】
2007091166.tif 000007
【図６】
2007091166.tif 000008
【図７】
2007091166.tif 000009
【図８】
2007091166.tif 000010
【図９】
2007091166.tif 000011